【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
第１の基板と、
前記第１の基板と対向配置された第２の基板と、
前記第２の基板の前記第１の基板と対向する面に設けられた第１の電極と、
前記第１の基板の前記第２の基板と対向する面に設けられた第２の電極と、
前記第１の基板と前記第２の基板との間に封入され、分散媒と、この分散媒中に分散され、前記分散媒の誘電率とは異なる誘電率を有する微粒子と含む分散系と、
前記第１の電極と前記第２の電極との間に印加するための、前記分散系のＣＭ（Clau
sius-Mossotti）因子の実数部の値が０となる交差周波数よりも低い周波数の低周波交流信号と、前記交差周波数よりも高い周波数の高周波交流信号とを発生する電源部と、
前記電源部によって発生された高周波交流信号を前記第1の電極と前記第２の電極との間に選択的に印加する駆動回路と、
を備えることを特徴とする表示装置。
【請求項２】
前記第１の電極は、前記第１の基板と対向する面に設けられた透明導電膜からなる共通電極であり、
前記第２の電極は、前記第１の基板の前記第２の基板と対向する面に、行及び列方向に複数配列される表示要素の１つを形成するために予め定めた画素領域毎に、その画素領域の面積より小さい面積に形成され、前記共通電極と対向する複数の制御電極であり、
前記駆動回路は、前記行及び列方向に複数配列された複数の画素のうち、各行ごとに表示データに対応する前記高周波交流信号と前記低周波交流信号とのいずれかを選択して順次前記制御電極へ供給して、前記複数の画素を時分割駆動することを特徴とする請求項１に記載の表示装置。
【請求項３】
前記複数の制御電極にそれぞれ接続され、制御部から供給される表示データに対応した前記高周波交流信号と低周波交流信号のいずれかを、各行ごとに順次供給される走査信号に応じて前記制御電極に供給するための複数の薄膜トランジスタをさらに備えることを特徴とする請求項２に記載の表示装置。
【請求項４】
前記駆動回路は、各行ごとに表示データに対応する高周波交流信号と低周波交流信号のいずれかを選択して順次前記制御電極へ供給し、前記分散系の微粒子の前記制御電極と前記共通電極との間での移動が完了した後、前記制御電極を前記共通電極と実質的に同電位にする電圧を前記制御電極に供給することを特徴とする請求項２又は３に記載の表示装置。
【請求項５】
前記制御電極と、前記共通電極と実質的に同電位の配線との間に設けられ、前記駆動回路から各行ごとに表示データに対応する高周波交流信号と低周波交流信号とのいずれかが選択されて順次前記制御電極へ供給され、前記分散系の微粒子の前記制御電極と前記共通電極間での移動が完了した後、前記制御電極と、前記配線とを電気的に接続する同電位維持部をさらに備えることを特徴とする請求項２〜４の何れか一項に記載の表示装置。
【請求項６】
前記複数の制御電極ごとにそれぞれ接続されて行及び列方向に複数配置され、前記駆動回路から供給される表示データに対応した前記高周波交流信号と前記低周波交流信号のいずれかを、各行ごとに順次供給される走査信号に応じて前記制御電極に供給するための複数の薄膜トランジスタと、
前記複数の薄膜トランジスタのゲート電極を各行ごとに接続し、順次走査信号が供給される走査線と、
前記複数の薄膜トランジスタのドレイン電極を各列ごとに接続し、前記制御部から表示データに対応した前記高周波交流信号と前記低周波交流信号のいずれかが供給されるデータ線とを備え、
前記駆動回路は、一つの走査線に走査信号が供給されて、その走査線を選択する期間の前半に、表示データに対応した前記高周波交流信号と前記低周波交流信号のいずれかを供給し、前記選択する期間の後半に共通電極と実質的に同電位にする電圧を供給することを特徴とする請求項２に記載の表示装置。
【請求項７】
前記複数の制御電極ごとにそれぞれ接続されて行及び列方向に複数配置され、前記駆動回路から供給される表示データに対応した前記高周波交流信号と前記低周波交流信号のいずれかを、各行ごとに順次供給される走査信号に応じて前記制御電極に供給するための複数の薄膜トランジスタと、
前記複数の薄膜トランジスタのゲート電極を各行ごとに接続し、順次走査信号が供給される走査線と、
前記複数の薄膜トランジスタのドレイン電極を各列ごとに接続し、駆動回路から表示データに対応した前記高周波交流信号と前記低周波交流信号のいずれかが供給されるデータ線とを備え、
前記複数の制御電極ごとに、それぞれの前記制御電極と前記共通電極と実質的に同電位の配線との間を互いに接続可能に設けられた同電位維持部とを備え、
前記駆動回路は、一つの走査線にその走査線を選択する期間が経過した後に、前記同電位維持部を動作させて、前記制御電極を前記配線に接続させることを特徴とする請求項２に記載の表示装置。
【手続補正２】
【補正対象書類名】明細書
【補正対象項目名】０００９
【補正方法】変更
【補正の内容】
【０００９】
本発明は、上記事情に鑑みてなされたもので、誘電泳動現象を用いて良好な表示を行う表示装置を提供することを目的とする。
【手続補正３】
【補正対象書類名】明細書
【補正対象項目名】００１０
【補正方法】変更
【補正の内容】
【００１０】
上記目的を達成するために、本発明の観点に係る表示装置は、
第１の基板と、
前記第１の基板と対向配置された第２の基板と、
前記第２の基板の前記第１の基板と対向する面に設けられた第１の電極と、
前記第１の基板の前記第２の基板と対向する面に設けられた第２の電極と、
前記第１の基板と前記第２の基板との間に封入され、分散媒と、この分散媒中に分散され、前記分散媒の誘電率とは異なる誘電率を有する微粒子と含む分散系と、
前記共通電極と前記複数の制御電極との間に印加するための、前記分散系のＣＭ（Clau
sius-Mossotti）因子の実数部の値が０となる交差周波数よりも低い周波数の低周波交流信号と、前記交差周波数よりも高い周波数の高周波交流信号とを発生する電源部と、
前記第１の電極と前記第２の電極との間に印加するための、前記分散系のＣＭ（Clau
sius-Mossotti）因子の実数部の値が０となる交差周波数よりも低い周波数の低周波交流信号と、前記交差周波数よりも高い周波数の高周波交流信号とを発生する電源部と、
前記電源部によって発生された高周波交流信号を前記第1の電極と前記第２の電極との間に選択的に印加する駆動回路と、
を備えることを特徴とする。
前記第１の電極は、前記第１の基板と対向する面に設けられた透明導電膜からなる共通電極であり、
前記第２の電極は、前記第１の基板の前記第２の基板と対向する面に、行及び列方向に複数配列される表示要素の１つを形成するために予め定めた画素領域毎に、その画素領域の面積より小さい面積に形成され、前記共通電極と対向する複数の制御電極であり、
前記駆動回路は、前記行及び列方向に複数配列された複数の画素のうち、各行ごとに表示データに対応する前記高周波交流信号と前記低周波交流信号とのいずれかを選択して順次前記制御電極へ供給して、前記複数の画素を時分割駆動するようにしてもよい。
【手続補正４】
【補正対象書類名】明細書
【補正対象項目名】００１６
【補正方法】変更
【補正の内容】
【００１６】
本発明に係る表示装置によれば、誘電泳動現象を用いた良好な表示を行う表示装置を得ることができる。